(57)【特許請求の範囲】
【請求項１】
コネクタケーシング（２，２”）と、該コネクタケーシング（２，２”）に係止可能な保護キャップ（１，１’，１”）とを備える多極の電気コネクタ部分であって、前記保護キャップが、入口開口部（４）と、少なくとも１つのクランプ体（３，３’，３”）を有する複数の接続導線（６，６ａ，６ｂ，６ｃ，６”，６ａ”，６ｂ”）のための固定装置（５）とを備える、前記多極の電気コネクタ部分において、
少なくとも２つのクランプ面（１６ａ，１６ｂ，１６ａ’，１６ｂ’，１６ａ”，１６ｂ”）が弾性的で緩衝的に、若しくは弾性的で可撓性に前記クランプ体（３，３’，３”）に配置又は形成されていること、及び前記クランプ体（３，３’，３”）の前記クランプ面（１６ａ，１６ｂ，１６ａ’，１６ｂ’，１６ａ”，１６ｂ”）と、前記コネクタケーシング（２，２”）の内壁部分（２０ａ，２０ｂ，２０ａ”，２０ｂ”）との間で前記接続導線（６，６ａ，６ｂ，６ｃ，６”，６ａ”，６ｂ”）が嵌合式に固定可能であることを特徴とする多極の電気コネクタ部分。
【請求項２】
前記クランプ体（３）がゴム弾性的な材料で構成されていることを特徴とする請求項１記載の多極の電気コネクタ部分。
【請求項３】
前記クランプ体（３，３”）が本質的にＶ字状に形成されていることを特徴とする請求項１記載の多極の電気コネクタ部分。
【請求項４】
前記クランプ体（３）が係合式に前記保護キャップ（１）に結合されていることを特徴とする請求項２記載の多極の電気コネクタ部分。
【請求項５】
前記保護キャップ（１）及び前記クランプ体（３）が一体的な部材として二成分系射出成形法において形成されていることを特徴とする請求項１又は２記載の多極の電気コネクタ部分。
【請求項６】
前記クランプ体（３’，３”）が前記保護キャップ（１’，１”）と一体的に形成されていることを特徴とする請求項１記載の多極の電気コネクタ部分。
【請求項７】
前記クランプ体（３’，３”）が、前記保護キャップ（１’，１”）に弾性的に配置された少なくとも２つのクランプアーム（２９ａ’，２９ｂ’，２９ｃ’，２９ｄ’２９ａ”，２９ｂ”）によって形成されていることを特徴とする請求項１記載の多極の電気コネクタ部分。
【請求項８】
前記クランプ体（３，３’，３”）が、互いに非平行に整向された少なくとも２つのクランプ面（１６ａ，１６ｂ，１６ａ’，１６ｂ’，１６ａ”，１６ｂ”）を備えていることを特徴とする請求項１記載の多極の電気コネクタ部分。
【請求項９】
前記クランプアーム（２９ａ’，２９ｂ’）が、バネ弾性的で可撓性の部分（３０）を介して互いに非平行に整向された複数のクランプ面（１６ａ’，１６ｂ’）によって互いに結合されていることを特徴とする請求項７記載の多極の電気コネクタ部分。
【請求項１０】
前記クランプ体（３’）が、互いに平行に配置された複数のクランプアーム（２９ａ，２９ｃ；２９ｂ，２９ｄ）を備えていることを特徴とする請求項１記載の多極の電気コネクタ部分。
【請求項１１】
前記コネクタケーシング（２）及び前記保護キャップ（１）が、成形された複数の係止要素（２４，２５）によって複数の係止段階において互いに軸方向に位置決め可能であること、及び前記クランプ体（３，３’）の少なくとも１つのクランプ面（１６ａ，１６ｂ，１６ａ’，１６ｂ’）と前記コネクタケーシング（２）の少なくとも１つの内壁部分（２０ａ，２０ｂ）の間の異なる複数の間隔が前記位置決めに依存して生じることを特徴とする請求項１記載の多極の電気コネクタ部分。
【請求項１２】
前記保護キャップ（１，１’，１”）が、互いに一体的に形成された２つのケーシング部分（１ａ，１ｂ，１ａ’，１ｂ’，１ａ”，１ｂ”）で組合せ可能であることを特徴とする請求項１記載の多極の電気コネクタ部分。
【請求項１３】
前記保護キャップ（１，１’，１”）が成形された複数のリブ（２３）を有する貫通開口部（４）を備えていることを特徴とする請求項１記載の多極の電気コネクタ部分。
【発明の詳細な説明】
【技術分野】
【０００１】
本発明は、コネクタケーシングと、該コネクタケーシングに係止可能な保護キャップとを備える多極の電気コネクタ部分であって、前記保護キャップが、入口開口部と、少なくとも１つのクランプ体を有する複数の接続導線のための固定装置とを備える、前記多極の電気コネクタ部分に関するものである。
【背景技術】
【０００２】
このようなコネクタ部分は、ここでは不図示の別のコネクタ部分と共に１つの電気的なコネクタ接続部を形成するように構成されている。したがって、接続ケーブル又は複数の個々の接続導線と接続された、固定して配置されていないコネクタ部分においては、信頼性をもった機能のために、接続ケーブル又は接続導線をコネクタ部分のケーシングに固結することが必要である。このとき、通常は、給電ラインに作用する引っ張り力が接続導線を介してコネクタ部分の電気的なプラグコンタクトへ伝達されるか、又はプラグコンタクトへの電気的な接続を中断することを阻止する引張軽減装置が設けられるべきである。
【０００３】
加えて、例えば原動機付き車両のエンジンルーム内のような厳しい環境条件の下で用いられるコネクタ部分の場合には、プラグコンタクトの電気的な接続を大きな振動負荷から保護することが必要である。このことは、特に対応する大きな数の接続導線を備えた多極のコネクタ部分においては困難であるか、又は比較的大きな手間によってのみ実現可能である。
【０００４】
特許文献１からケーブルのための引張軽減装置が知られており、ケーブルは、クランプ部材によって収容ダクトにおいて固定されることが可能である。クランプ部材及び収容ダクトは共にくさび対を形成し、このくさび対は、収容ダクトの縁部の下方へスライド可能な傾斜面がクランプ部材に形成されていることで生じる。１つの発展形態では、傾斜面に歯が設けられており、この歯は、収容ダクトの縁部における係止部と協働する。引張軽減装置により、異なるケーブル断面積を有し得る複数のケーブルの固定も可能とするものである。それぞれについて、固有の収容ダクト及び固有のクランプ部材が設けられており、これら収容ダクト及びクランプ部材は、それぞれ個々に互いに接合される必要がある。
【０００５】
特許文献２には、それぞれ電気的な導線に接続された、電気的なプラグコンタクト要素のための複数の収容チャンバを備えたケーシング体と、このケーシング体に係止可能なケーシング部とを有するコネクタ部分が示されており、最終係止箇所では、ケーシング部及びケーシング体が相互作用して電気的な導線を部分的に係合式に包囲する。
【０００６】
このような構成は、比較的わずかな数の接続導線を有するコネクタ部分に対して良好に適したものであり、したがって、特許文献２において実施例として記載されたコネクタ部分は、多くとも２つの給電ラインを備えている。より多くの数の給電ラインについては、このようなコネクタ部分の構造はより手間がかかるものであるとともに、構造において比較的大きい。なぜなら、各給電ラインが個々にケーシング部によって包囲される必要があるためである。給電ラインの断面積も勝手に選択できない。なぜなら、この断面積はケーシング部の形状に適合される必要があるためである。
【先行技術文献】
【特許文献】
【０００７】
【特許文献１】独国実用新案公開第２９８０２４７０号明細書
【特許文献２】独国特許出願公開第１０２００８０５５８４１号明細書
【発明の概要】
【発明が解決しようとする課題】
【０００８】
課題は、大きな耐振動性において優れ、異なる断面積を有し得るより多くの単一導体によってもクランプ状に固定され得るコネクタ部分を得ることにある。
【課題を解決するための手段】
【０００９】
この課題は、本発明により、少なくとも２つのクランプ面が弾性的で緩衝的に、若しくは弾性的で可撓性に前記クランプ体に配置又は形成されていること、及び前記クランプ体の前記クランプ面と、前記コネクタケーシングの内壁部分との間で前記接続導線が嵌合式に固定可能であることによって解決される。
【００１０】
クランプ体への弾性的で緩衝的な、又は弾性的で可撓性なクランプ面の形成により、複数の個々の接続導線をクランプ体に固定することが可能となり、これら接続導線が異なる導線断面積を有することが可能である。このとき、場合によっては存在する保護キャップ及びコネクタケーシングの寸法公差が自動的に補償される。
【００１１】
クランプ面が弾性的で可撓性に構成されていれば、これは、これらクランプ面が偏向時に比較的わずかにのみ復帰力を発揮することを意味し、したがって、クランプ面へのコネクタケーシングの密な近接によって接続導線へ作用するクランプ力を生じさせるために、コネクタケーシング及び保護キャップの互いに対する段階的な間隔において位置決め手段を設けることが有利である。
【００１２】
一方、弾性的で緩衝的なクランプ面は、多段の位置決め手段がコネクタケーシングと保護キャップの間で必ずしも必要ではないように構成されることが可能である。
【００１３】
最初の有利な実施形態では、クランプ体は、本質的にＶ字状のゴム弾性的な物体で形成されており、この物体は、係合式に保護キャップの固定部に結合されることが可能である。保護キャップへの結合のために、クランプ体は、好ましくは複数の成形された係止要素を備えている。
【００１４】
代替的な有利な実施形態では、保護キャップ及びクランプ体が二成分系の射出成形法において一体的な部材として製造され得ることが可能である。この場合、クランプ体は、熱可塑性の合成樹脂で構成された保護キャップにおいてエラストマ状の構成要素を形成する。
【００１５】
別の有利な実施形態では、クランプ体は複数のストライプ状のクランプアームによって形成されており、これらクランプアームは、保護キャップの固定部に一体的に成形されている。このとき、クランプアームの外表面は、接続導線の固定のためのクランプ面を形成している。
【００１６】
有利には、全ての場合において、接続導線の固定が保護キャップの入口範囲ではなく、コネクタ部分の内部で行われる。これにより、特に保護キャップの入口開口部において循環上にリブを成形することが可能である。これらリブは、構成樹脂から成る波形管又は波形ホースをコネクタ部分に固定することが可能であり、この波形管又は波形ホースにより、複数の接続導線が束ねられるとともに、防滴されて付設されることが可能である。本発明によるコネクタの別の有利な形態及び発展形成は、従属請求項に記載されている。本発明によるコネクタの実施例は、図面に図示されているとともに、以下において図面に基づいて詳細に説明される。
【図面の簡単な説明】
【００１７】
【図１】本発明によるコネクタ部分を示す図である。
【図２】クランプ体を有する開放された保護キャップを示す図である。
【図３】閉鎖された保護キャップを示す図である。
【図４】単一部材としてのクランプ体を示す図である。
【図５】コネクタ部分の部分断面図である。
【図６】異なる導線構成を有する固定装置の断面図である。
【図７】異なる導線構成を有する固定装置の断面図である。
【図８】異なる導線構成を有する固定装置の断面図である。
【図９】固定装置の第１の断面図である。
【図１０】固定装置の第２の断面図である。
【図１１】クランプ体の第２の実施形態を有する保護キャップを示す図である。
【図１２】図１１によるクランプ体の断面図である。
【図１３】本発明の第３の実施形態によるコネクタ部分を示す図である。
【図１４】開放された保護キャップを有する図１３によるコネクタ部分を示す図である。
【図１５】図１４の第１の断面を示す図である。
【図１６】図１４の第２の断面を示す図である。
【図１７】図１４の第３の断面を示す図である。
【図１８】図１４による開放された保護キャップを単一部材として示す図である。
【発明を実施するための形態】
【００１８】
図１には、本発明により構成されたコネクタ部分が図示されている。このコネクタ部分は、プラグコンタクトスリーブ及び／又はコネクタピンのようなここでは不図示の複数のプラグコンタクト要素を内部に備えたコネクタケーシング２と、このコネクタケーシング２に係止された保護キャップ１とで構成されている。
【００１９】
図２及び図３においてそれぞれコネクタケーシングなしで図示された保護キャップ１は、二部材で形成されたケーシング部分１ａ，１ｂで構成されており、これらケーシング部分１ａ，１ｂは、柔軟なフィルムヒンジを介して互いに保持されている。ケーシング部分１ａ，１ｂは、互いに結合可能な結合要素７，８によって互いに結合されることができ、結合要素７，８に成形された係止爪２１あるいは係止開口部２２がケーシング部分１ａ，１ｂの上側部分を係合式に互いに固定する。ケーシング部分１ｂは、係止突起１０を有する成形された係止アーム９を更に備えており、係止突起は、ケーシング部分１ａ，１ｂの接合時に係止アーム９のバネ力によってケーシング部分１ａにおける係止凹部１１内へ押し込まれる。ケーシング部分１ａ，１ｂの接合により、図３に示された、閉鎖されたジャケット面を有する保護キャップ１が生じる。図１及び図２には、まだ結合されていないケーシング部分１ａ，１ｂを有するまだ取り付けられていない状態で保護キャップ１が示されており、これにより、本発明によるコネクタ部分の別の細部も視認可能である。
【００２０】
保護キャップ１は、コネクタケーシング２を塵埃及び湿気の侵入から保護するという役割のほかに、電気的な接続導線を案内し、機械的に固定するという役割を果たすものである。この保護キャップ１は、その上側範囲において、成形されつつ周設されたリブ２３を有する比較的幅広の入口開口部４を備えている。この入口開口部４には、不図示の波形管又は波形ホースを接続することができ、この波形ホースを介して図５〜図８に図示された接続導線６，６ａ，６ｂ，６ｃが外部の環境の影響に対して保護されて案内されることが可能である。
【００２１】
これら接続導線６，６ａ，６ｂ，６ｃの機械的な固定のために、保護キャップ１は固定部１４を有しており、この固定部では、少なくとも２つの側部に接触して、ゴム弾性的なクランプ体３が設けられている。
【００２２】
図面では単一部材として形成されたクランプ体３は、ここでは不図示ではあるものの、代替的に保護キャップ１に直接吹き付けられたエラストマ体が形成されることができる。したがって、クランプ体及び保護キャップは、一部材で二成分系射出成形法において製造されることが可能である。
【００２３】
図４には、クランプ体３の特に有利な構成が図示されている。一部材で形成されたクランプ体３は、屈曲性で柔軟であるものの安定したエラストマ材料で構成されている。完全に周設せずに形成された外壁１５は、互いに互いに角度を付けて配置された複数の平坦な面部分で構成されている。開放された側に隣接する外壁１５の両面部分を、以下では単にクランプ面１６ａ，１６ｂという。なぜなら、これらは、接続管路のクランプ式の固定のために設けられているためである。クランプ面１６ａ，１６ｂは、互いに平行に整向されておらず、これにより、クランプ体３が平面視においてほぼＶ字状の外部輪郭を備えている。
【００２４】
外壁１５は結合壁１８を包囲しており、この結合壁の主面１３は外壁１５の面に対して直角に整向されている。結合壁１８は、好ましくは両主面１３において、一部材で成形された複数の係止ノブ１９を備えている。外壁１５の両自由端は、丸められて形成されているとともに、これにより２つのクリップ爪１７を形成している。
【００２５】
クリップ爪１７も、また係止ノブ１９も、保護キャップ１の固定部１４にクランプ体３を固定することに寄与するものであり、このことは、図９及び図１０から明らかである。図９には、途中ではあるものの結合壁１８によってその主面に対して平行に固定部１４に固定されたクランプ体３の断面が示されている。ゴム弾性的なクランプ体３のクリップ爪１７がどのように固定部１４の周囲で包囲され、これによりクランプ体３が固定部１４に保持されるかが示されている。
【００２６】
図１０には、図９の切断方向に対して垂直に向けられた、クランプ体３及び固定部１４から成る配置の別の断面が示されている。結合壁１８は固定部１４の収容ダクト２８内へはめ込まれており、結合壁１８に成形された複数の係止ノブ１９が収容ダクト２８の係止凹部２７に係合している。クリップ爪１７及び係止ノブ１９は、保護キャップ１の固定部１４でのクランプ体３の確実な固定を生じさせるものである。保護キャップ１に固定されたクランプ体３の視点は図２に示されている。
【００２７】
そのほか、図１０には、コネクタケーシング２の一部を見て取ることができる。コネクタケーシング２は、相補的に保護キャップ１に形成された係止要素２５と協働する、成形された係止要素２４を備えている。係止要素２４，２５により、保護キャップ１及びコネクタケーシング２を軸方向において異なる位置へ互いに接合することが可能な複数の係止段が得られる。このとき、係止要素２４，２５の非対称な形状により、保護キャップ１とコネクタケーシング２の近接を比較的わずかな力で行うことができる一方、保護キャップ１とコネクタケーシング２の間の間隔の拡大により、かなり大きな力や、特殊な工具の使用さえも必要となる。
【００２８】
図２及び図９から分かるように、クランプ体３の両クランプ面１６ａ，１６ｂは、互いに平行でもなければ、保護キャップ１の長手軸線に対して平行でもないように整向されている。したがって、保護キャップ１をコネクタケーシング２へ結合するときに、コネクタケーシング２の内壁のクランプ面１６ａ，１６ｂが各係止によって更に近接し、これにより、ますます小さくなる隙間がケーシング部分２６とクランプ面１６ａ，１６ｂの間の導線が十分に更に近接する際にクランプされる。
【００２９】
導線固定の原理が図５に図示されている。個々の接続導線６は、ここではケーシング部分２６とクランプ面１６ａの間でクランプされている。複数の係止段を備えた保護キャップ１とコネクタケーシング２の間の係止結合によって、接続導線６がクランプ体３のゴム弾性的な材料内へ深く押し込まれるようにケーシング部分２６が狭くクランプ面１６ａへ導かれる。
【００３０】
クランプ体３は、そのゴム弾性的な特性により隣接する複数の接続導線にも狭く結合することができる。このとき、３つの例について図６〜図８に示されているように、接続導線が同一又は異なる断面を有するかどうかは大して重要ではない。
【００３１】
部分的に同一で部分的に異なる導線断面を有する接続導線６ａ，６ｂ，６ｃを固定する固定装置５の断面図が示されている。図６では、異なる導線直径を有する２つの接続導線６ａ，６ｂがクランプ体３によって固定されており、クランプ体３は、左側で断面の大きな接続導線６ａを、右側で断面の小さな接続導線６ｂをコネクタケーシング２の内壁部分２０ａ，２０ｂへ押圧している。
【００３２】
図７及び図８から、クランプ面１６ａ，１６ｂによってそれぞれ１つより多い接続導線６ａ，６ｂも保持されることができることが明らかにされている。図７には、クランプ面１６ｂによって内壁部分２０ｂに固定された断面が同一の２つの接続導線６ｂが例示されている一方、同時に、クランプ体３が、断面の大きな１つの接続導線６ａをコネクタケーシング２の対向する内壁部分２０ａへ押圧している。
【００３３】
図８の実施例では、３つの接続導線６ａ，６ｂ，６ｃが固定されており、これら接続導線は異なる導線断面を有しており、２つの接続導線６ｂ，６ｃは、クランプ体３の同一のクランプ面１６ａとは異なる導線断面をもって、これに属する内壁部分に固定されている。ゴム又はその他のゴム弾性的な材料から成るクランプ体３は、両導線強度が効果的にクランプされて固定されるように十分に柔軟なものとなっている。
【００３４】
当然、これらの構成は単に例示的なものであると理解されるべきである。特に、クランプ面につき２つより多くの接続導線を固定することも可能であり、クランプ面によって固定可能な接続導線の数は、導線の断面、クランプ面の幅及び厚さ並びにクランプ体の材料特性によって特定されることができるか、あるいはこれらパラメータの適当な選択によって、適当に影響されることが可能である。
【００３５】
さらに、例えばゴム弾性的なクランプ要素を有する固定部がコネクタケーシングの構成要素であり、保護キャップのそのケーシング部分との結合時に協働する上述のクランプ機構が運動学的に逆となる構成を設定することも可能である。
【００３６】
図１１には、ここでは保護キャップ１’と一体的に形成されたクランプ体３’の別の有利な実施形態を有する保護キャップ１’の他の実施形態が示されている。一体的に形成された保護キャップ１’は、２つの接続ウェブ３１’を介して互いに接続されつつ互いに係止可能な２つのケーシング部分１ａ’，１ｂ’で構成されている。
【００３７】
加えて、接続ウェブ３１’は保護キャップ１’の固定部１４’を形成しており、この固定部では、全部で４つのクランプアーム２９ａ’，２９ｂ’，２９ｃ’，２９ｄ’が一体的に形成されていて、これらクランプアームは、互いに対状に互いに非平行に対向している。図１２から明らかであるように、これらクランプアームは多重に屈曲した部分３０’を介して結合されており、この部分は、クランプアーム２９ａ’，２９ｂ’の圧力負荷の際に圧縮され、このときバネ弾性的な抗力が生じる。このとき、クランプアーム２９ａ’，２９ｂ’の外面はクランプ面１６ａ’，１６ｂ’を形成し、これらクランプ面１６ａ’，１６ｂ’は、接続導線をコネクタケーシングの内壁部分に固定することが可能である。
【００３８】
図１１に図示されたクランプ体３’は例示的に図１２による２つのＷ字状の配置を備えており、これらの配置は、それぞれ２つのクランプアーム２９ａ’，２９ｂ’あるいは２９ｃ’，２９ｄ’と、可撓性の部分３０’とで構成されていて、これら両配置は、互いに平行に一体的に接続ウェブ３１’に成形されている。したがって、クランプ体３’はここでは全部で４つのクランプアーム２９ａ’，２９ｂ’，２９ｃ’，２９ｄ’を有しており、これらクランプアームは、対応して同数のクランプ面を形成している。当然、クランプ体は、用途に応じてより多くの又はより少ない偶数のクランプアーム及びクランプ面で構成されることも可能である。
【００３９】
接続導線の固定は、基本的に図５〜図８に図示されたものと同様に、コネクタケーシングへの保護キャップ１’の段階的な近接によってなされ、コネクタケーシングの内側のケーシング壁部の一部分がクランプ面１６ａ’，１６ｂ’に近接する。
【００４０】
上述の実施例とは異なり、ここでは、クランプ面１６ａ’，１６ｂ’はゴム弾性的に形成されていない。したがって、各接続導線がそれぞれ１つの適切なクランプ面１６ａ’，１６ｂ’に固定されており、各クランプ面１６ａ’，１６ｂ’を支持するクランプアーム２９ａ’，２９ｂ’，２９ｃ’，２９ｄ’が接触する接続導線の断面に応じて対応して大きく圧縮され、その結果、各導線が個々にぴったりと固定される。
【００４１】
個々のクランプ面１６ａ’，１６ｂ’がそれぞれ１つより多くの接続導線を固定するように設定されることも可能であり、これら接続導線は、同一の断面を備えるようになっている。したがって、好ましくは少なくとも異なる導線断面が用いられるほど多数のクランプアーム２９ａ’，２９ｂ’，２９ｃ’，２９ｄ’を設定することが可能である。
【００４２】
図１３〜図１８には、本発明によるコネクタの別の有利な実施形態が開示されている。図１１及び図１２において図示された実施例のように、ここでもクランプ体３”が固定されるべき各接続導線６”，６ａ”，６ｂ”に対して１つの適切なクランプアーム２９ａ”，２９ｂ”が設けられている。
【００４３】
図１８から、クランプアーム２９ａ”，２９ｂ”が中実に形成された接続ウェブ３１”に一体的に結合されていることが特に明らかであり、接続ウェブには、保護キャップ１”のケーシング部分１ａ”，１ｂ”も形成されている。中実の接続ウェブ３１”は、クランプアーム２９ａ”，２９ｂ”の機械的な分離を生じさせるものであり、その結果、クランプアームの偏向時に本質的な変位が生じることがないか、又は他のクランプアームの偏向が生じることがない。これにより、図１１に図示された実施形態と比べて、例えば不完全に取り付けられたコネクタの結果、奇数の導線も確実に固定することが可能である。
【００４４】
このとき、この例において図示された全部で６つのクランプアーム２９ａ”，２９ｂ”は、これらクランプアームが固定されるべき接続導線６”，６ａ”，６ｂ”の押圧によって弾性的に変形可能であるようにクランプ体３”に結合されている。これに合わせて、コネクタケーシング２”の内壁部分２０ａ”，２０ｂ”と各クランプアーム２９ａ”，２９ｂ”の間の隙間の幅が導線直径に応じて変化する。この機能原理により、異なる断面積の接続導線６”，６ａ”，６ｂ”を嵌合式に固定することが可能である。
【００４５】
大きな直径を有する接続導線は、より大きな質量を有するとともに、これに合わせて、小さな直径を有する接続導線よりも強く固定される必要がある。このことは、接続ウェブ３１”でのクランプアーム２９ａ”，２９ｂ”の弾性的な結合によって達成される。なぜなら、増大する導線断面積においては、クランプアーム２９ａ”，２９ｂ”の偏向が増大し、これにより増大するクランプ力となるためである。
【００４６】
上述の両実施形態と異なり、ここでは、クランプアーム２９ａ”，２９ｂ”によりもたらされる比較的大きなバネ力により保護キャップ１”とコネクタケーシング２”の間の多段式の係止位置決めが不要である。この代わりに、保護キャップ１”は、係止爪３２”を介してコネクタケーシング２”にスナップフィットされ、これにより、多段式の係止結合の形成に比べて取付が容易となるとともに、欠陥の最小化に大きく貢献する。保護キャップ１”の内部に位置する、保護キャップ１”とコネクタケーシング２”の間の係止部によって、この係止部が外部からのアクセスに対して更に保護され、その結果、不意の脱落が排除されている。
【００４７】
この実施形態も、冒頭に挙げた特許文献１の対象に比べて有利である。接続導線の開口部の通過がここでは不要である。接続導線６”，６ａ”，６ｂ”は、コネクタケーシング２”の両側に対して折りたたまれることができ、その後、保護キャップ１が係止され、そのケーシング部分１ａ”，１ｂ”を互いに結合することができる。さらに、多数のクランプ部材の手動での設置がここでは不要である。
【符号の説明】
【００４８】
１，１’，１”        保護キャップ
１ａ，１ｂ，１ａ’，１ｂ’，１ａ”，１ｂ”  ケーシング部分
２，２”              コネクタケーシング
３，３’，３”        クランプ体
４                    入口開口部
５                    固定装置
６，６ａ，６ｂ，６ｃ，６”，６ａ”，６ｂ”  接続導線
７，８                結合要素
９                    係止アーム
１０                  係止突起
１１                  係止凹部
１２                  フィルムヒンジ
１３                  主面
１４，１４’          固定部
１５                  外壁
１６ａ，１６ｂ，１６ａ’，１６ｂ’，１６ａ”，１６ｂ”  クランプ面
１７                  クリップ爪
１８                  結合壁
１９                  係止ノブ
２０ａ，２０ｂ，２０ａ”，２０ｂ”  内壁部分
２１                  係止爪
２２                  係止開口部
２３                  リブ
２４，２５            係止要素
２６                  ケーシング部分
２７                  係止凹部
２８                  収容ダクト
２９ａ’，２９ｂ’，２９ｃ’，２９ｄ’，２９ａ”，２９ｂ”  クランプアーム
３０’                可撓性の部分
３１’，３１”        接続ウェブ
３２”                係止爪
【図１】
0006482575.tif 000002
【図２】
0006482575.tif 000003
【図３】
0006482575.tif 000004
【図４】
0006482575.tif 000005
【図５】
0006482575.tif 000006
【図６】
0006482575.tif 000007
【図７】
0006482575.tif 000008
【図８】
0006482575.tif 000009
【図９】
0006482575.tif 000010
【図１０】
0006482575.tif 000011
【図１１】
0006482575.tif 000012
【図１２】
0006482575.tif 000013
【図１３】
0006482575.tif 000014
【図１４】
0006482575.tif 000015
【図１５】
0006482575.tif 000016
【図１６】
0006482575.tif 000017
【図１７】
0006482575.tif 000018
【図１８】
0006482575.tif 000019